(57)【要約】【課題】現場に設置する構造物のレイアウトを紙上に簡単に提示できること。【解決手段】レイアウトゲージ１００は、太陽光パネルを設置する屋根の建物設計図に重ねて屋根寸法を読み取り、前記建物設計図あるいは所定のレイアウト用紙上に重ねて前記屋根寸法および前記太陽光パネルのレイアウトを記載するために用いる。このレイアウトゲージ１００は、透明な材質により平板状に形成された基材と、基材上に、所定の縮尺比で複数枚の太陽光パネルの外形を複数のマス１０４からなる線分で表記したゲージ１０１，１０２と、基材の各マスの角部分にそれぞれ貫通形成され、筆記具によりレイアウト用紙上に太陽光パネルの角部分を印付け可能にする貫通孔１０５ａ〜１０５ｄと、を備える。【選択図】図１
0003179760.tif 000002
【実用新案登録請求の範囲】
【請求項１】
太陽光パネルを設置する屋根の建物設計図に重ねて屋根寸法を読み取り、前記建物設計図あるいは所定のレイアウト用紙上に重ねて前記屋根寸法および前記太陽光パネルのレイアウトを記載するためのレイアウトゲージであって、
透明な材質により平板状に形成された基材と、
前記基材上に、所定の縮尺比で複数枚の太陽光パネルの外形を複数のマスからなる線分で表記したゲージと、
前記基材の前記各マスの角部分にそれぞれ貫通形成され、筆記具により前記レイアウト用紙上に前記太陽光パネルの角部分を印付け可能にする貫通孔と、
を備えたことを特徴とするレイアウトゲージ。
【請求項２】
前記マスの中央位置にそれぞれ貫通形成されたピッチ可変用貫通孔をさらに備えたことを特徴とする請求項１に記載のレイアウトゲージ。
【請求項３】
前記基材上には、太陽光パネルの規格別の外形に対応する複数のゲージを設けたことを特徴とする請求項１または２に記載のレイアウトゲージ。
【請求項４】
前記所定の縮尺比を有する寸法定規および分度定規を有することを特徴とする請求項１〜３のいずれか一つに記載のレイアウトゲージ。
【請求項５】
前記所定の縮尺比は、前記建物設計図の縮尺比であることを特徴とする請求項１〜４のいずれか一つに記載のレイアウトゲージ。
【考案の詳細な説明】
【技術分野】
【０００１】
この考案は、現場への構造物設置前に紙上で構造物の設置状態をレイアウトできるレイアウトゲージに関する。
【背景技術】
【０００２】
現場での構造物の設置前に作図された寸法図上で構造物の設置状態をレイアウトすることにより、設置にかかる手間を省くことができる。たとえば、建物の屋根に太陽光（ＰＶ）パネルを設置する場合、屋根にＰＶパネルを何枚、どのようなレイアウトで設置するかを決めなければならない。
【０００３】
このようなＰＶパネルの設置について、屋根に上ることなく、設置状態や削減電気代等を見積もり、顧客に提示できるシステムが提案されている（たとえば、下記特許文献１参照。）。
【先行技術文献】
【特許文献】
【０００４】
【特許文献１】特開２０１０−９２２２３号公報
【考案の概要】
【考案が解決しようとする課題】
【０００５】
しかしながら、上記従来の技術では、ＰＶパネルの設置を見積もる作業をコンピュータを用いたデータ処理で実施している。このため、屋根の大きさ等を含む住宅情報に対応する航空写真地図をインターネット等のネットワークを介して提供サイトから取り寄せる必要がある。そして、サーバは、取り寄せた航空写真地図や屋根寸法等に基づいて設置費用等を計算する。このため、顧客側ではＰＣ、ＰＤＡ、あるいは携帯電話等により建物の住所や、屋根の向き等を入力操作する必要があり、サーバに対し、ネットワークを介してデータ送信する必要があるとともに、サーバの計算結果をネットワークを介して受信する必要がある。
【０００６】
このように、従来技術は、屋根に対するＰＶパネルの設置状況にコンピュータを用いる必要があるため、顧客に対してＰＶパネルのレイアウトを簡単な操作で迅速に提示することができなかった。
【０００７】
この考案は、上述した従来技術による問題点を解消するため、現場に設置する構造物のレイアウトを紙上に簡単に提示できるレイアウトゲージを提供することを目的とする。
【課題を解決するための手段】
【０００８】
上述した課題を解決し、目的を達成するため、請求項１の考案にかかるレイアウトゲージは、太陽光パネルを設置する屋根の建物設計図に重ねて屋根寸法を読み取り、前記建物設計図あるいは所定のレイアウト用紙上に重ねて前記屋根寸法および前記太陽光パネルのレイアウトを記載するためのレイアウトゲージであって、透明な材質により平板状に形成された基材と、前記基材上に、所定の縮尺比で複数枚の太陽光パネルの外形を複数のマスからなる線分で表記したゲージと、前記基材の前記各マスの角部分にそれぞれ貫通形成され、筆記具により前記レイアウト用紙上に前記太陽光パネルの角部分を印付け可能にする貫通孔と、を備えたことを特徴とする。
【０００９】
また、請求項２の考案にかかるレイアウトゲージは、請求項１に記載の考案において、前記マスの中央位置にそれぞれ貫通形成されたピッチ可変用貫通孔をさらに備えたことを特徴とする。
【００１０】
また、請求項３の考案にかかるレイアウトゲージは、請求項１または２に記載の考案において、前記基材上には、太陽光パネルの規格別の外形に対応する複数のゲージを設けたことを特徴とする。
【００１１】
また、請求項４の考案にかかるレイアウトゲージは、請求項１〜３のいずれか一つに記載の考案において、前記所定の縮尺比を有する寸法定規および分度定規を有することを特徴とする。
【００１２】
また、請求項５の考案にかかるレイアウトゲージは、請求項１〜４のいずれか一つに記載の考案において、前記所定の縮尺比は、前記建物設計図の縮尺比であることを特徴とする。
【考案の効果】
【００１３】
本考案にかかるレイアウトゲージによれば、現場に設置する構造物のレイアウトを紙上に簡単に提示できるという効果を奏する。
【図面の簡単な説明】
【００１４】
【図１】図１は、本考案のレイアウトゲージを示す正面図である。
【図２−１】図２−１は、建物設計図（南側立面図）の一例を示す図である。
【図２−２】図２−２は、建物設計図（東側立面図）の一例を示す図である。
【図３】図３は、レイアウト用紙上に書き出したＰＶレイアウトの例を示す図である。
【図４】図４は、レイアウト用紙上に書き出したＰＶレイアウトの他の例を示す図である。
【図５】図５は、寄棟用のレイアウトゲージを示す正面図である。
【考案を実施するための形態】
【００１５】
以下に添付図面を参照して、この考案にかかるレイアウトゲージの好適な実施の形態を詳細に説明する。以下の説明では、建物の屋根にＰＶパネルを設置する場合に用いるレイアウトゲージを例に説明する。
【００１６】
（実施の形態１）
図１は、本考案のレイアウトゲージを示す正面図である。図１に示すレイアウトゲージ１００は、基材が透明なプラスチック等の材質により平板状に形成され、一般的な定規同様に持ち運びが簡単である。レイアウトゲージ１００には、基材上に黒色等のインク等により矩形状の複数の線分をマトリクス状に表記したゲージ１０１が設けられている。図１に示す例では、２種の異なる寸法サイズのＰＶに対応するために、２つのゲージ１０１，１０２を設けている。
【００１７】
ゲージ１０１について説明すると、このゲージ１０１は、複数のマス（図１の例では横５行縦５列）１０４を有している。一つのマス１０４は、１枚のＰＶパネルの寸法に対応した縦横比を有する。ゲージ１０２は、ゲージ１０１と異なるＰＶパネルに対応しており、縦横比が異なり、図１の例では横５行縦４列のマス１０４となっている。そして、一つのマス１０４は、建物設計図に通常用いられる尺度１／１００に合わせた寸法である。
【００１８】
そして、ゲージ１０１の一つのマス１０４あたり、各角部（頂点）の４箇所には、基材を貫通する丸形状の貫通孔１０５（１０５ａ〜１０５ｄ）が開口形成されている。貫通孔１０５ａ，１０５ｂ（１０５ｃ，１０５ｄ）間は行（屋根の幅）方向に所定寸法を有し、貫通孔１０５ａ，１０５ｃ（１０５ｂ，１０５ｄ）間は列（屋根の長さ）方向に所定寸法をする。
【００１９】
このようなレイアウトゲージ１００をレイアウト用紙上に重ねて設け、この４箇所の貫通孔１０５部分に鉛筆等の筆記具を位置させて、レイアウト用紙上に貫通孔１０５に沿った丸形状の記載（印付け）を行うことにより、レイアウト用紙上に１枚のＰＶパネルの大きさに対応する４つの角（頂点）を記載できる。
【００２０】
そして、ゲージ１０１の複数マス１０４について縦横に貫通孔１０５（１０５ａ〜１０５ｄ）部分を印付けしていくことにより、複数のＰＶパネル相当の印付けを行っていくことができる。そして、印付けされた複数の箇所同士をこのレイアウトゲージ１００の辺を用い、筆記具により直線状に繋ぐ筆記を行うことにより、複数のＰＶパネルに対応する線分を記載できる。
【００２１】
また、ゲージ１０２を用いることにより、同様に異なるＰＶパネルのレイアウトに対応する線分を記載できる。さらに、他のＰＶパネルについても、他のレイアウトゲージ１００に、このＰＶパネルの寸法比に対応したゲージ１０１を設けておくことにより、各種ＰＶパネルをレイアウト用紙上に記載できる。
【００２２】
上記のゲージ１０１，１０２に設けられた貫通孔１０５（１０５ａ〜１０５ｄ）を用いることにより、接地面が四角形状の屋根に設置するＰＶパネルを縦横に整列してレイアウトできる。
【００２３】
また、このゲージ１０１には、各マス１０４の中央部分にピッチ可変用貫通孔１０６（１０６ａ，１０６ｂ）が開口されている。このピッチ可変用貫通孔１０６（１０６ａ，１０６ｂ）は、貫通孔１０５ａ，１０５ｂの中央部分、および貫通孔１０５ｃ，１０５ｄの中央部分に設けられている。
【００２４】
ピッチ可変用貫通孔１０６を用いることにより、異なる列（屋根の長さ）毎に、ＰＶパネルの幅方向の設置を半分のピッチずつずらして配置する記載を行うことができる。これにより、接地面が三角形状の屋根（寄棟）に設置するＰＶパネルをレイアウトできる。
【００２５】
また、ゲージ１０１には、屋根の端部から所定距離離した箇所にＰＶパネルを設置するためののりしろ線１０７が点線状に表記されている。こののりしろ線１０７を用いてＰＶパネルを屋根の端部（上下左右）から所定距離離して設置することができる。
【００２６】
レイアウトゲージ１００の左辺と上辺には、それぞれ建物設計図に重ねたときに屋根等の寸法を読み取るための寸法定規１１０，１１１が１ｍｍ間隔（１ｃｍ単位の目印）を有して目盛状に記載されている。この寸法定規１１０，１１１の尺度についても、建物設計図に通常用いられる尺度１／１００である。この寸法定規１１０，１１１を建物設計時に重ねることにより、１ｍｍあたり１０ｃｍ、１ｃｍあたり１ｍ換算して読み取ることができる。なお、図１に示すレイアウトゲージは、縦幅１０ｃｍ、横幅２０ｃｍ程度の大きさである。
【００２７】
また、レイアウトゲージ１００の右上角部は、所定径を有して円弧状に形成され、この部分に分度定規１１２が目盛状に記載されている。分度定規１１２は、図示のように、０度〜９０度までの角度表記と、１寸〜５寸までの勾配表記が表記され、建物設計図に重ねたときに屋根等の傾斜角度を読み取ることができる。
【００２８】
次に、上述したレイアウトゲージ１００を用いたＰＶパネルのレイアウトの詳細について説明する。図２−１は、建物設計図（南側立面図）、図２−２は、建物設計図（東側立面図）の一例を示す図である。これらの図に示した建物２００の２階屋根２０１部分にＰＶパネルを設置する場合について説明する。
【００２９】
ＰＶパネルの設置レイアウトを行うには、まず、建物設計図から屋根の寸法を読み出す。具体的には、図２−１に示す建物設計図にレイアウトゲージ１００を重ね、寸法定規１１１を用いて屋根２０１の幅Ｗを読み出す。また、図２−２に示す建物設計図にレイアウトゲージ１００を重ね、寸法定規１１０（１１１）を用いて屋根２０１の長さＬを読み出す。
【００３０】
また、この際、図２−２に示す建物設計図の屋根２０１に分度定規１１２を重ねることにより、屋根の傾斜角度（勾配）を読み取ることができる。これにより、ＰＶパネルが設置可能な傾斜角度範囲内であるか否かを確認できるようになる。このように、屋根２０１の幅Ｗおよび長さＬを得るためには、一般的には、方向が異なる２つの建物設計図を読み取るだけでよい。
【００３１】
次に、レイアウト用紙を用意する。レイアウト用紙は、空白の紙や方眼紙を用いることができる。このレイアウト用紙上に、読み出した屋根２０１の寸法、すなわち幅Ｗ、および長さＬを有する四角状の枠を書き出す。
【００３２】
図３は、レイアウト用紙上に書き出したＰＶレイアウトの例を示す図である。レイアウト用紙３００上に、読み出した屋根２０１の寸法、すなわち幅Ｗ、および長さＬを有する四角状の枠３０１を書き出す。この枠３０１は、傾斜した屋根２０１の平面図に相当し、ＰＶパネルを設置可能な範囲を示す。枠３０１は、レイアウトゲージ１００の寸法定規１１０（１１１）部分を用いて必要な長さ分の線分を筆記すればよい。
【００３３】
次に、レイアウト用紙３００上の枠３０１部分にレイアウトゲージ１００を重ねる。この際、所望するＰＶパネルに対応したゲージ１０１，１０２、あるいは他のゲージを用いる。ゲージ１０１を用いる例で説明すると、のりしろ線１０７が枠３０１内部に位置するように重ねる。これにより、ＰＶパネルを屋根２０１の４方の端部からそれぞれあらかじめ定めた所定距離以上離してレイアウト配置できる。
【００３４】
そして、ゲージ１０１の複数マス１０４の角部に開口されている貫通孔１０５（１０５ａ〜１０５ｄ）部分に筆記具を用いて丸形状の印付け３０２を行っていく。この印付け３０２の際に、枠３０１内部にゲージ１０１として用意された行列（図１の例では５行５列）以上の印付け３０２を行うときには、ゲージ１０１を対応する行列方向にスライドさせればよい。
【００３５】
この後、複数の印付け３０２の箇所同士を筆記具により直線部３０３で繋ぐ筆記を行う。これにより、図３に示すように、レイアウト用紙３００上には、直線部３０３が示す複数のマスにより複数のＰＶパネルのレイアウトを記載できるようになる。この際、一つのマスが一つのＰＶパネルに相当し、ＰＶパネル毎の外形を記載できる。
【００３６】
図３の例では、レイアウト用紙３００上の記載により、屋根２０１上に２４枚（６行４列）のＰＶパネルを設置できることが判る。また、直線部３０３の長さを寸法定規１１０，１１１を用いて読み取ることにより、ＰＶパネル全体の幅および長さを容易に知ることができる。寸法定規１１０，１１１で読み取った値に尺度１００を掛けることにより、実際のＰＶパネルの設置幅と長さ、面積を求めることができる。
【００３７】
顧客に対して、レイアウト用紙３００を提示することにより、屋根２０１におけるＰＶパネルのレイアウトを提示できる。併せて、ＰＶパネルの設置枚数が判るため設置費用についても容易に算出できるようになる。
【００３８】
図４は、レイアウト用紙上に書き出したＰＶレイアウトの他の例を示す図である。この図には、寄棟の屋根に設置するＰＶパネルのレイアウト例を示している。はじめに、建物設計図から屋根の寸法を読み出す。そして、レイアウト用紙４００上に、読み出した屋根２０１の枠４０１を書き出す。図４に示すように、寄棟の屋根に対応する三角形状の枠４０１が記載される。
【００３９】
次に、レイアウト用紙４００上の枠４０１部分にレイアウトゲージ１００を重ねる。この際、所望するＰＶパネルに対応したゲージ１０１，１０２、あるいは他のゲージを用いる。ゲージ１０１を用いる例で説明すると、最上段位置に、ゲージ１０１のマス１０４の角部に開口されている貫通孔１０５（１０５ａ〜１０５ｄ）部分に筆記具を用いて丸形状の印付け４０２を行っていく。図４の例では、最上段に一つのＰＶパネルの４つの角相当の貫通孔１０５ａ〜１０５ｄにより、４つの印付け４０２がなされる。この際、ピッチ可変用貫通孔１０６ｂ部分による印付け４０３についても行う。この印付け４０３の箇所は、２段目に設置できるＰＶパネルの上端部の位置となる。
【００４０】
次に、２段目の位置では、印付け４０３の箇所を基準として、ゲージ１０１のマス１０４の角部に開口されている貫通孔１０５ａ〜１０５ｄ部分に筆記具を用いて丸形状の印付け４０２を行っていく。この際、印付け４０３の部分は隣接する２つのＰＶパネルの貫通孔１０５ｂ，１０５ａと同じ箇所になる。このようにして、２段目および３段目についても印付け４０２，４０３を行う。この後、複数の印付け４０２の箇所同士を筆記具により直線部４０４で繋ぐ筆記を行う。
【００４１】
これにより、図４に示すように、上段から下段につれて１段毎にＰＶパネルの設置ピッチを幅方向に半分ずつずらすレイアウトを行うことができる。図４の例では、合計６枚のＰＶパネルを設置できることが判る。
【００４２】
図５は、寄棟用のレイアウトゲージを示す正面図である。図１に示したレイアウトゲージ１００上のゲージ部分だけを抽出して記載してある。この寄棟用のゲージ５０１は、一般的な矩形上のＰＶパネルを中央部分に行列方向にマトリクス上に配置し（上段から下段にかけてＰＶパネルの幅方向の設置ピッチは変えていない）、左右部分に設置可能な略三角形（厳密には５角形）のＰＶパネルを配置する例に対応している。
【００４３】
このようなＰＶパネルにおいても、各ＰＶパネルの角部に対応する位置にそれぞれ貫通孔５０２が設けられる。また、ゲージ５０１には、屋根の端部から所定距離離した箇所にＰＶパネルを設置するためののりしろ線５０７が点線状に表記されている。
【００４４】
図５に示す寄棟用のレイアウトゲージを用いることにより、上記同様の手順でレイアウト用紙上に、寄棟の屋根に対応したＰＶパネルの設置レイアウトを容易に書き出すことができる。
【００４５】
上述したように、本考案のレイアウトゲージは、ＰＶパネルを所定の縮尺比で縮小させたゲージを有し、このゲージ（ＰＶパネル）の角部分に相当する箇所に貫通孔を形成した。これにより、貫通孔を用いて、筆記具によりレイアウト用紙上に１枚単位でＰＶパネルの外形を簡単に記載していくことができる。また、貫通孔同士を繋ぐ筆記を行うだけで複数のＰＶパネル配置を容易にレイアウトできるようになる。
【００４６】
また、１枚のＰＶパネルの４つの角の貫通孔の中間位置にさらにピッチ可変用貫通孔を設けている。これにより、寄棟の屋根など、ＰＶパネルを上下の段毎に設置ピッチを変えたレイアウトにも簡単に対応できるようになる。
【００４７】
さらに、１枚のレイアウトゲージに複数のＰＶパネルの規格（製造会社別等に異なる寸法サイズ）に対応するゲージを設けることにより、少ない枚数のレイアウトゲージで各種規格のＰＶパネルのレイアウトを行うことができ、容易に可搬できるようになる。
【００４８】
上述した説明では、建物設計図の屋根が傾斜しており、ＰＶパネルを設置する屋根の平面図がないことを前提として、レイアウト用紙上に屋根寸法を記載してからＰＶパネルをレイアウトする例を説明した。建物設計図に屋根の平面図がある場合には、この平面図上に直接、ＰＶパネルの設置をレイアウトすることもできる。
【００４９】
以上のように、本考案によれば、レイアウトゲージとレイアウト用紙（あるいは建物設計図）を用いて、レイアウト用紙上に線分を引く記載だけの簡単な作業で、ＰＶパネルをレイアウトできる。このため、屋根に上ることなく顧客の前で簡単な作業を行うだけでＰＶパネルのレイアウトを迅速に提示できる。
【００５０】
また、上述した説明では、建物設計図を用いて屋根の寸法を読み出すこととしたが、建物設計図がない場合には、屋根寸法を実値計測してもよい。そして、計測した屋根寸法をレイアウト用紙上に枠として記載すればよい。
【符号の説明】
【００５１】
１００  レイアウトゲージ
１０１，１０２  ゲージ
１０４  マス
１０５（１０５ａ〜１０５ｄ）  貫通孔
１０６  貫通孔
１１０，１１１  寸法定規
１１２  分度定規
２０１  屋根
３００  レイアウト用紙
３０１  枠
３０２  印付け
３０３  直線部
【図１】
0003179760.tif 000003
【図２−１】
0003179760.tif 000004
【図２−２】
0003179760.tif 000005
【図３】
0003179760.tif 000006
【図４】
0003179760.tif 000007
【図５】
0003179760.tif 000008